(57)【要約】【課題】オプション装置の省電力化を達成しつつ、ユーザビリティを向上させること。【解決手段】画像形成装置１００には複数のオプション装置が接続されることがある。画像形成装置１００は複数のオプション装置のそれぞれのリセット電圧を示す情報を取得し、最も低いリセット電圧に相当する閾値電圧を決定する。画像形成装置１００は、省電力モードへの遷移条件が満たされると、複数のオプション装置に対する電圧の供給を停止する。画像形成装置１００は、省電力モードへの遷移中に画像形成指示が入力されると、出力電圧が閾値電圧以下になるまで待ってから、複数のオプション装置に対する電圧の供給を再開する。【選択図】図１
2017173746.tif 000002
【特許請求の範囲】
【請求項１】
画像形成装置に接続されている複数のオプション装置に電圧を供給する供給手段と、
前記供給手段から複数のオプション装置に供給されている電圧を検知する検知手段と、
前記画像形成装置に接続されている前記複数のオプション装置のそれぞれのリセット電圧を示す情報を取得する取得手段と、
前記取得手段により取得された前記複数のオプション装置のそれぞれのリセット電圧のうちで最も低いリセット電圧に相当する閾値電圧を決定する決定手段と、
省電力モードへの遷移条件が満たされると、前記供給手段による前記複数のオプション装置に対する電圧の供給を停止させる制御手段とを有し、
前記制御手段は、前記省電力モードへの遷移中に画像形成指示が入力されると、前記検知手段により検知されている電圧が、前記決定手段により決定された前記閾値電圧以下になるまで待ってから、前記供給手段による電圧の供給を再開させるように構成されていることを特徴とする画像形成装置。
【請求項２】
前記取得手段は、前記画像形成装置に接続されている前記複数のオプション装置からリセットの必要の有無を示す情報を取得するようにさらに構成されており、
前記決定手段は、前記複数のオプション装置のうちでリセットの必要なオプション装置から取得されたリセット電圧のうちで最も低いリセット電圧に基づき前記閾値電圧を決定するように構成されていることを特徴とする請求項１に記載の画像形成装置。
【請求項３】
前記画像形成装置に接続されている複数のオプション装置と通信する通信手段をさらに有し、
前記取得手段は、前記通信手段を介して前記画像形成装置に接続されている複数のオプション装置のそれぞれから前記リセット電圧を示す情報を取得するように構成されていることを特徴とする請求項１または２に記載の画像形成装置。
【請求項４】
前記画像形成装置に接続されている複数のオプション装置を特定する特定手段をさらに有し、
前記特定手段は、前記通信手段を介して通信できたかどうかに応じて前記画像形成装置に接続されている複数のオプション装置を特定するように構成されていることを特徴とする請求項３に記載の画像形成装置。
【請求項５】
前記取得手段は、前記画像形成装置に接続されている複数のオプション装置間で中継されてきた前記リセット電圧を示す情報を取得するように構成されていることを特徴とする請求項３または４に記載の画像形成装置。
【請求項６】
操作者による指示を入力する入力手段をさらに有し、
前記取得手段は、前記入力手段を介して前記画像形成装置に接続されている複数のオプション装置のそれぞれの前記リセット電圧を示す情報を取得することを特徴とする請求項１または２に記載の画像形成装置。
【請求項７】
前記制御手段は、前記供給手段による電圧の生成を停止させることで、前記供給手段による電圧の供給を停止させることを特徴とする請求項１ないし６のいずれか一項に記載の画像形成装置。
【請求項８】
前記制御手段は、前記画像形成装置を電源オフに遷移させる条件が満たされると、前記供給手段による前記複数のオプション装置に対する電圧の供給を停止させ、前記電源オフへの遷移中に画像形成指示が入力されると、前記検知手段により検知されている電圧が、前記決定手段により決定された前記閾値電圧以下になるまで待ってから、前記供給手段による電圧の供給を再開させるように構成されていることを特徴とする請求項１ないし７のいずれか一項に記載の画像形成装置。
【請求項９】
前記取得手段は、前記画像形成装置が前記電源オフに遷移するときにオプション装置に適用されるリセット電圧を前記画像形成装置に接続されている複数のオプション装置のそれぞれから取得するように構成されており、
前記決定手段は、前記画像形成装置を電源オフに遷移させる条件が満たされると、前記複数のオプション装置のそれぞれから前記取得手段により取得された複数のリセット電圧のうちで最も低いリセット電圧に基づき前記閾値電圧を決定するように構成されていることを特徴とする請求項８に記載の画像形成装置。
【請求項１０】
前記制御手段は、前記画像形成装置の再起動を実行する条件が満たされると、前記供給手段による前記複数のオプション装置に対する電圧の供給を停止させ、前記再起動の実行中に画像形成指示が入力されると、前記再起動を中断し、かつ、前記検知手段により検知されている電圧が、前記決定手段により決定された前記閾値電圧以下になるまで待ってから、前記供給手段による電圧の供給を再開させるように構成されていることを特徴とする請求項１ないし９のいずれか一項に記載の画像形成装置。
【請求項１１】
前記取得手段は、前記再起動に関するリセット電圧を前記画像形成装置に接続されている複数のオプション装置のそれぞれから取得するように構成されており、
前記決定手段は、前記再起動を実行する条件が満たされると、前記取得手段により取得された前記再起動に関するリセット電圧のうちで最も低いリセット電圧に基づき前記閾値電圧を決定するように構成されていることを特徴とする請求項１０に記載の画像形成装置。
【請求項１２】
前記複数のオプション装置のうちの少なくとも一つは、
前記画像形成装置にシートを給紙する給紙装置と、
前記画像形成装置により画像を形成されたシートを排紙する排紙装置と、
前記画像形成装置により画像を形成されたシートの表裏を反転して再び前記画像形成装置に給紙する反転装置とのうちのいずれかであることを特徴とする請求項１ないし１１のいずれか一項に記載の画像形成装置。
【請求項１３】
画像形成装置に接続されるオプション装置であって、
前記オプション装置を制御する制御手段であって、前記画像形成装置から供給される電圧が所定のリセット電圧以下になるとリセットを実行する制御手段と、
前記リセット電圧を記憶する記憶手段と、
前記画像形成装置から前記リセット電圧の送信を要求されると、前記記憶手段に記憶されている前記リセット電圧を送信する送信手段と
を有することを特徴とするオプション装置。
【請求項１４】
画像形成装置に接続されている複数のオプション装置に電圧を供給する供給手段と、
前記供給手段から複数のオプション装置に供給されている電圧を検知する検知手段と、
前記画像形成装置に接続されている前記複数のオプション装置のそれぞれのリセット電圧を示す情報を取得する取得手段と、
前記取得手段により取得された前記複数のオプション装置のそれぞれのリセット電圧のうちで最も低いリセット電圧に相当する閾値電圧を決定する決定手段と、
省電力モードへの遷移、電源オフへの遷移および再起動のうち少なくとも一つを含む複数のイベントのうちいずれかのイベントの実行条件が満たされると、前記供給手段による前記複数のオプション装置に対する電圧の供給を停止させる制御手段とを有し、
前記制御手段は、前記イベントの実行中に画像形成指示が入力されると、前記検知手段により検知されている電圧が、前記決定手段により決定された前記閾値電圧以下になるまで待ってから、前記供給手段による電圧の供給を再開させるように構成されていることを特徴とする画像形成装置。
【請求項１５】
前記リセット電圧はイベントごとに異なる電圧であることを特徴とする請求項１４に記載の画像形成装置。
【請求項１６】
複数のオプション装置を接続可能な画像形成装置であって、
前記複数の画像形成装置のうち前記画像形成装置に実際に接続されているオプション装置に電圧を供給する供給手段と、
前記画像形成装置に実際に接続されているオプション装置にリセットがかかるリセット条件を取得する取得手段と、
省電力モードへの遷移、電源オフへの遷移および再起動のうち少なくとも一つを含む複数のイベントのうちいずれかのイベントの実行条件が満たされると、前記供給手段を停止させる制御手段とを有し、
前記制御手段は、前記イベントの実行中に画像形成指示が入力されると、前記取得手段により取得されたすべてのリセット条件が満たされるまで前記供給手段を停止させてから、前記供給手段を起動するように構成されていることを特徴とする画像形成装置。
【発明の詳細な説明】
【技術分野】
【０００１】
本発明は画像形成装置およびオプション装置に関する。
【背景技術】
【０００２】
画像形成装置には様々なオプション装置が接続されることがある。オプション装置とは、シートを排紙する排紙装置、シートを給紙する給紙装置、両面印刷を実現するための搬送装置など、ユーザの要求に応じて画像形成装置に追加される装置である。オプション装置には画像形成装置から電力が供給される。オプション装置への電力の供給を停止させる電源遮断手段を画像形成装置に設けることで、消費電力が低減する（特許文献１）。
【先行技術文献】
【特許文献】
【０００３】
【特許文献１】特開平９−９０８２０号公報
【発明の概要】
【発明が解決しようとする課題】
【０００４】
ところで、オプション装置にはＣＰＵが搭載されている。ＣＰＵに供給される電圧がリセット電圧以下になると、ＣＰＵは自動的にリセットを実行する。リセットはＣＰＵが正しく動作するために必要な処理である。画像形成装置がオプション装置への電力の供給を停止してから、オプション装置のＣＰＵに供給されていた電圧がリセット電圧以下になるまでにはある程度の遷移時間が必要となる。この遷移時間中に画像形成指示が入力されると、画像形成装置に接続されているすべてのオプション装置の各ＣＰＵがリセットを実行するまで待ってから、画像形成装置は複数のオプション装置への電力の供給を再開する。複数のオプション装置にそれぞれ搭載されるＣＰＵのリセット電圧は異なりうるため、供給電圧が最も低いリセット電圧（閾値電圧）以下になるまで画像形成装置は待たねばならない。画像形成装置に潜在的に接続可能なすべてのオプション装置を想定し、最も低いリセット電圧が電力の供給を再開するための閾値電圧に採用される。つまり、実際に接続されていないオプション装置の閾値電圧を考慮して予め最も低い閾値電圧（固定値）を採用している。しかし、画像形成装置に実際に接続されているオプション装置はユーザによって異なるため、すべてのユーザを一律に長時間にわたり待たせることはユーザビリティに欠けるであろう。そこで、本発明はオプション装置の省電力化を達成しつつ、ユーザビリティを向上することを目的とする。
【課題を解決するための手段】
【０００５】
本発明によれば、
画像形成装置に接続されている複数のオプション装置に電圧を供給する供給手段と、
前記供給手段から複数のオプション装置に供給されている電圧を検知する検知手段と、
前記画像形成装置に接続されている前記複数のオプション装置のそれぞれのリセット電圧を示す情報を取得する取得手段と、
前記取得手段により取得された前記複数のオプション装置のそれぞれのリセット電圧のうちで最も低いリセット電圧に相当する閾値電圧を決定する決定手段と、
省電力モードへの遷移条件が満たされると、前記供給手段による前記複数のオプション装置に対する電圧の供給を停止させる制御手段とを有し、
前記制御手段は、前記省電力モードへの遷移中に画像形成指示が入力されると、前記検知手段により検知されている電圧が、前記決定手段により決定された前記閾値電圧以下になるまで待ってから、前記供給手段による電圧の供給を再開させるように構成されていることを特徴とする画像形成装置が提供される。
【発明の効果】
【０００６】
本発明によればオプション装置の省電力化を達成しつつ、ユーザビリティが向上する。
【図面の簡単な説明】
【０００７】
【図１】画像形成システムを示す図
【図２】画像形成システムを示す図
【図３】出力電圧の遷移を示す図
【図４】画像形成システムを示す断面図
【図５】制御システムを示すブロック図
【図６】省電力モードへの遷移を示すフローチャート
【図７】出力電圧の遷移を示す図
【図８】各オプション装置のリセット電圧とリセット必要性を示す図
【図９】イベントの実行処理を示すフローチャート
【発明を実施するための形態】
【０００８】
＜画像形成システム＞
図１は画像形成システムを示す図である。画像形成装置１００は様々なオプション装置を接続できる。両面オプション１４０はシートの表面と裏面との両面に画像を形成するために必要となるオプション装置であり、画像を形成されたシートの表裏を反転させる反転装置でもある。両面オプション１４０は両面印刷を必要とするユーザが購入したり、レンタルしたりするオプション装置である。給紙オプション１５０は画像形成装置１００にシートを給紙するオプション装置である。画像形成装置１００が内蔵している給紙カセットや手差しトレイに加えて、給紙オプション１５０が追加されることがある。排紙オプション１６０は、画像形成装置１００から排出されるシートをソートしたり、穿孔したり、ステイプルしたり、製本したりするオプション装置である。これらのオプション装置はユーザに依存して画像形成装置１００に追加される。画像形成装置１００は電源ライン１８０を通じて電圧を各オプション装置に供給する。また、画像形成装置１００は通信ライン１９０を通じて各オプション装置を制御する。
【０００９】
＜電源システム＞
図２は画像形成システムに採用される電源システムを示している。画像形成装置１００は、交流電圧を変換することで画像形成装置１００の内部で使用される電圧（例：ＤＣ３．３Ｖ）を生成する第一低圧電源２０２を有している。ＣＰＵ２０１は第一低圧電源２０２から供給される電圧により動作する。操作部２０４は画像形成指示やオプション装置に関する情報を入力したりするために使用される入力装置と、操作者に情報を表示する出力装置とを含む。第二低圧電源２０３は交流電源から供給される交流電圧を変換し、オプション装置に供給する電圧（例：ＤＣ２４Ｖ）を生成する電源装置である。ＣＰＵ２０１は省電力モードへの遷移条件が満たされると、第二低圧電源２０３に電圧の供給を停止するよう指示するための制御信号を出力する。第二低圧電源２０３はこの指示に基づき電圧の生成を停止する。ＣＰＵ２０１は第二低圧電源２０３が出力する電圧をモニタ信号に基づき監視する。モニタ信号のレベルは第二低圧電源２０３の出力電圧に比例している。ＣＰＵ２０１はモニタ信号に基づき、オプション装置内でＤＣ−ＤＣコンバータ２１２がＣＰＵ２１１に供給している電圧（例：３．３Ｖ）を推定する。ＤＣ−ＤＣコンバータ２１２は、出力定格電圧以上の入力電圧が入力されていれば、出力定格電圧を出力できる。しかし、入力電圧が出力定格電圧以下になると、ＤＣ−ＤＣコンバータ２１２は入力電圧をそのまま出力する。したがって、ＣＰＵ２０１は、第二低圧電源２０３の出力電圧がＤＣ−ＤＣコンバータ２１２の出力定格電圧以上であれば、ＣＰＵ２１１には出力定格電圧が印加されていると推定する。一方、ＣＰＵ２０１は、第二低圧電源２０３の出力電圧がＤＣ−ＤＣコンバータ２１２の出力定格電圧以下であれば、ＣＰＵ２１１には第二低圧電源２０３の出力電圧がそのまま印加されていると推定する。オプション装置のＣＰＵ２０１にリセットがかかる電圧（リセット電圧）は出力定格電圧未満である。
【００１０】
オプション装置はオプション装置を制御するＣＰＵ２１１を有している。ＤＣ−ＤＣコンバータ２１２は第二低圧電源２０３から供給された電圧（例：２４Ｖ）をＣＰＵ２１１の動作電圧（例：３．３Ｖ）に変換する電源装置である。記憶装置２１３はＣＰＵ２１１が実行する制御プログラムや各種のデータを記憶するＲＯＭやＲＡＭなどである。画像形成装置１００のＣＰＵ２０１は通信ライン１９０を通じて各オプション装置に指示を送信したり、各オプション装置から情報を受信したりする。
【００１１】
＜省電力モードとＣＰＵのリセット＞
画像形成装置１００は所定の遷移条件が満たされると省電力モードに遷移する。たとえば、ＣＰＵ２０１は画像形成指示が入力されない期間が所定時間を超えると、第二低圧電源２０３からの電圧の供給を停止させることで、オプション装置を省電力モードに遷移させる。省電力モードへの遷移後に画像形成指示が操作部２０４やホストコンピュータなどを通じて入力されると、ＣＰＵ２０１は省電力モードから画像形成モードに復帰し、第二低圧電源２０３に電圧の供給を再開させる。本実施例によれば、省電力モードへの遷移中に画像形成指示が操作部２０４やホストコンピュータなどを通じて入力されると、ＣＰＵ２０１は省電力モードへの遷移を中止し、第二低圧電源２０３に電圧の供給を再開させる。
【００１２】
図３は第二低圧電源２０３の立下げ処理における出力電圧の遷移を示す図である。横軸は時間を示し、縦軸は第二低圧電源２０３の出力電圧を示す。時刻ｔ１に立下げ指示がＣＰＵ２０１により入力されると第二低圧電源２０３は出力電圧の生成を停止する。これにより出力電圧は定格電圧（例：２４Ｖ）から徐々に低下する。時刻ｔ２で出力電圧は完了電圧以下になる。なお、出力電圧が完了電圧以下になると、オプション装置のＤＣ−ＤＣコンバータ２１２がＣＰＵ２１１に供給している電圧がリセット電圧以下となり、ＣＰＵ２１１はリセットを実行する。ＣＰＵ２１１にリセットがかかることで、ＣＰＵ２１１への動作電圧（例：３．３Ｖ）の供給が再開されたときにＣＰＵ２１１が正常に動作可能となる。このように出力電圧は完了電圧以下になれば、画像形成装置１００のＣＰＵ２０１はオプション装置のＣＰＵ２１１がリセットを実行したと推定できる。通常、完了電圧とリセット電圧とは一致している。
【００１３】
なお、第二低圧電源２０３の停止を開始した時刻ｔ１から停止を完了した時刻ｔ２までの経過時間Ｔ０は第二低圧電源２０３の立下げにかかる時間であり、省電力モードへの遷移期間である。この遷移期間はオプション装置の負荷や第二低圧電源２０３が搭載するコンデンサの容量に応じて異なる。この遷移期間内で画像形成指示が入力されると、ＣＰＵ２０１は省電力モードへの遷移を中止し、第二低圧電源２０３に電圧の供給を再開させる。しかし、出力電圧が完了電圧以下になる前に第二低圧電源２０３が電圧の供給を再開してしまうと、ＣＰＵ２１１にリセットがかからず、ＣＰＵ２１１が予期した通りの動作を実行しない可能性がある。したがって、本実施例では、ＣＰＵ２０１は、遷移期間内で画像形成指示が入力されると、ＣＰＵ２１１にリセットがかかるまで待ってから第二低圧電源２０３に電圧の供給を再開させる。これにより、ＣＰＵ２１１およびオプション装置を設計した通りに動作させることが可能となる。
【００１４】
上述したように画像形成装置１００に様々なオプション装置が存在するため、画像形成装置１００に接続可能なすべてオプション装置のリセット電圧のうちで最も低いリセット電圧（完了電圧）が閾値電圧に決定される。しかし、実際に画像形成装置１００に接続されるオプション装置はユーザごとに異なる。よって、すべてのユーザに対して一律に閾値電圧を設定し、一律の時間を待たせることはユーザビリティに欠けるであろう。つまり、各ユーザは、画像形成装置１００に対して実際に接続されているオプション装置に応じてできる限り待ち時間を短くすることを望むであろう。そこで、本実施例では、ＣＰＵ２０１は、画像形成装置１００に実際に接続されているオプション装置に応じて閾値電圧を決定することで待ち時間を短縮し、ユーザビリティを改善する。
【００１５】
＜画像形成装置＞
図４において、感光ドラム１２２は静電潜像やトナー画像を担持する像担持体である。帯電ローラ１２３は感光ドラム１２２の表面を一様に帯電させる。光学走査装置１０８は画像情報に応じて光ビームを出力し、感光ドラム１２２に静電潜像を形成する。光ビームはミラー１０７によって向きを偏向されてもよい。現像ローラ１２１はトナーを用いて静電潜像をトナー画像に現像する。
【００１６】
画像形成装置１００はシートＰを収容する標準カセットを有している。上段給紙ローラ１０２は標準カセットに収容されているシートＰを１枚ずつ給紙する。上段搬送ローラ１０３およびレジローラ１０４はシートＰを転写部に搬送する。転写部に設けられた転写ローラ１０６は感光ドラム１２２に担持されているトナー画像をシートＰに転写する。定着装置１３０はシートＰに転写されたトナー画像に熱と圧力を加えてシートＰ上に定着させる。排紙ローラ１１０と排紙ローラ１１１は画像を定着されたシートＰを搬送し、固定トレイ１１２に排出する。
【００１７】
両面オプション１４０、給紙オプション１５０、排紙オプション１６０は画像形成装置１００から脱着可能なオプション装置である。両面印刷が指示されると、ＣＰＵ２０１は両面フラッパ１１４を切り替える。これにより、排紙ローラ１１０によって搬送されてきたシートＰは両面オプション１４０へ誘導される。両面オプション１４０の引き込みローラ１４１および反転ローラ１４３はシートＰを引き込む。ＣＰＵ２１１は、所定のタイミングで、反転ローラ１４３の回転方向を反転させることで、シートＰを搬送ローラ１４５へ送り込む。このようにシートＰの搬送方向を反転させることで、シートＰの表裏が入れ替わる。搬送ローラ１４５はシートＰを再給紙ローラ１４７へ搬送する。ＣＰＵ２１１は再給紙ローラ１４７を駆動してシートＰをレジローラ１０４へ再給紙する。これにより、シートＰの裏面（第二面）に画像が形成される。
【００１８】
給紙オプション１５０は、標準カセットと同じサイズのシートＰや異なるサイズのシートＰを収容および給紙する給紙装置である。給紙オプション１５０のＣＰＵ２１１はＣＰＵ２０１から給紙を指示されると、下段給紙ローラ１５２を回転させ、シートＰを１枚ずつ給紙する。下段搬送ローラ１５３はシートＰを上段搬送ローラ１０３に送り込む。上段搬送ローラ１０３はシートＰをレジローラ１０４に送り込む。これにより、給紙オプション１５０から供給されたシートＰにも画像が形成される。
【００１９】
排紙オプション１６０へのシートＰの排出が指示されると、ＣＰＵ２０１は排紙フラッパ１１５を切り替える。これにより、排紙ローラ１１０によって搬送されてきたシートＰが排紙ローラ１１３へ送り込まれる。排紙ローラ１１３はシートＰを排紙オプション１６０へ排出する。排紙オプション１６０の受け入れローラ１６１はシートＰを排紙ローラ１６２に送り込む。排紙ローラ１６２はシートＰを上段トレイ１６３または下段トレイ１６４に排出する。ＣＰＵ２１１はＣＰＵ２０１により指示されたトレイに排出されるよう上段トレイ１６３と下段トレイ１６４を昇降させる。図４では上段トレイ１６３へシートＰが排出されるよう、上段トレイ１６３の位置が排出口に位置合わせされている。下段トレイ１６４への排出が指示されると、ＣＰＵ２１１は下段トレイ１６４の位置を排出口に合わせる。上段トレイ１６３や下段トレイ１６４の昇降はＣＰＵ２１１によって制御されるモータなどにより実現される。
【００２０】
＜制御システム＞
図５は制御システムを示すブロック図である。画像形成装置１００のＣＰＵ２０１はＲＯＭに記憶されている制御プログラムを実行することで様々な機能を実現する。なお、これらの機能の一部またはすべてはＡＳＩＣやＦＰＧＡなどのハードウエアにより実現されてもよい。形成制御部５０１は、画像形成装置１００における画像形成、シートＰの搬送、および、オプション装置の動作を制御する機能である。電源制御部５０２は監視部５０４などからの情報を元に第二低圧電源２０３を制御する。通信部５００は各オプション装置に情報を送信したり、各オプション装置から情報を受信したりする。なお、通信部５００はＣＰＵ２０１に実装されていてもよい。状態検出部５０３は通信部５００からの情報をもとに各オプション装置の接続状態を検出する。監視部５０４は第二低圧電源２０３の出力電圧を検知して電源制御部５０２に通知する。監視部５０４は第二低圧電源２０３に実装されていてもよい。
【００２１】
両面オプション１４０のＣＰＵ２１１は両面オプション１４０のローラ等を駆動したり、制御したりするオプション制御部５１０を有している。オプション制御部５１０は通信部５１１を通じて画像形成装置１００や他のオプション装置と通信する。給紙オプション１５０のＣＰＵ２１１は給紙オプション１５０のローラ等を駆動したり、制御したりするオプション制御部５２０を有している。オプション制御部５２０は通信部５２１を通じて画像形成装置１００や他のオプション装置と通信する。排紙オプション１６０のＣＰＵ２１１は排紙オプション１６０のローラ等を駆動したり、制御したりするオプション制御部５３０を有している。オプション制御部５３０は通信部５３１を通じて画像形成装置１００や他のオプション装置と通信する。通信部５００、５１１、５２１、５３１はシリアル通信ケーブルなどの通信ライン１９０を介して相互に接続されており、シリアル通信を実行してもよい。通信部５００、５１１、５２１、５３１は無線通信を実行してもよい。
【００２２】
＜フローチャート＞
以下では図６を用いてＣＰＵ２０１が実行する処理が説明される。Ｓ６００でＣＰＵ２０１（形成制御部５０１）は省電力モードへ遷移するかどうかを判定する。たとえば、形成制御部５０１は省電力モードへの遷移条件が満たされているかどうかを判定する。なお、遷移条件は、たとえば、操作部２０４から画像形成モードから省電力モードへの遷移指示が入力されたこと、画像形成モードにおいて一定時間にわたり画像形成指示が入力されなかったことなどである。画像形成モードとは画像形成装置１００が画像形成を実行可能な状態をいう。ＣＰＵ２０１は省電力モードへの遷移条件が満たされると、Ｓ６０１に進む。
【００２３】
Ｓ６０１でＣＰＵ２０１（形成制御部５０１）は通信部５００を介して、各オプション装置のリセット電圧を取得する。たとえば、通信部５００は各オプション装置にリセット電圧の送信要求コマンドを送信する。形成制御部５０１は通信部５００を介して各オプション装置からリセット電圧を示す情報を受信する。上述したように、リセット電圧とはＤＣ−ＤＣコンバータ２１２からオプション装置のＣＰＵ２１１に供給される電圧であって、ＣＰＵ２１１にリセットがかかる電圧である。なお、リセット電圧は、ＣＰＵ２１１にリセットがかかる第二低圧電源２０３の出力電圧であってもよい。これらＤＣ−ＤＣコンバータ２１２は第二低圧電源２０３の出力電圧を変換してＣＰＵ２１１の動作電圧を生成するからである。ＤＣ−ＤＣコンバータ２１２から出力される電圧の値と第二低圧電源２０３の出力電圧の値とは簡単な演算により相互に換算可能である。とりわけ、ＤＣ−ＤＣコンバータ２１２は、出力定格電圧以上の入力電圧が入力されていれば出力定格電圧を出力でき、入力電圧が出力定格電圧未満になると入力電圧と等しい出力電圧を出力する。リセット電圧は出力定格電圧未満の電圧であるため、通常は、リセット電圧と完了電圧は等しい。つまり、リセット電圧は第二低圧電源２０３の出力電圧とＤＣ−ＤＣコンバータ２１２の出力電圧とのどちらの電圧に基づいて定義されてもよい。リセット電圧はオプション装置の構成やＣＰＵ２１１によって定まる電圧であり、各オプション装置に固有の値である。リセット電圧は、たとえば、オプション装置の工場出荷時に記憶装置２１３に書き込まれる。以下では、説明の便宜上、ＣＰＵ２１１にリセットがかかる、ＤＣ−ＤＣコンバータ２１２のからの供給電圧をリセット電圧と称す。また、ＣＰＵ２１１にリセットがかかる、第二低圧電源２０３の出力電圧をリセット電圧に相当する閾値電圧と称す。
【００２４】
Ｓ６０２で、ＣＰＵ２０１（形成制御部５０１）は通信部５００を介して各オプション装置からリセットの必要性を示す情報を取得する。たとえば、通信部５００は、リセットの必要性を示す情報を送信するよう要求するコマンドを各オプション装置に送信する。形成制御部５０１は通信部５００を介して各オプション装置からリセットの必要性を示す情報を受信する。上述したようにＣＰＵ２１１はリセットが必要となる。ＣＰＵ２１１にリセットを実行させる手法の一つが、第二低圧電源２０３の出力電圧をリセット電圧に相当する閾値電圧以下に低下させることである。ＣＰＵ２１１にリセットを実行させる手法の他の一つは、通信部５００が各オプション装置にリセット信号を送信することである。あるいは、ＣＰＵ２０１からリセットを指示する専用線がＣＰＵ２１１まで設けられていてもよい。なお、Ｓ６０２は省略されてもよい。
【００２５】
Ｓ６０３でＣＰＵ２０１（形成制御部５０１）は、各オプション装置から取得したリセット電圧を示す情報やリセットの必要性を示す情報に基づき、閾値電圧を決定する。たとえば、ＣＰＵ２０１は、各オプション装置から取得したリセット電圧のうちで最も低いリセット電圧を判別し、最も低いリセット電圧に相当する出力電圧を閾値電圧に決定してもよい。なお、Ｓ６０２を実行するケースでは、ＣＰＵ２０１は、出力電圧の低下によるリセットが必要な各オプション装置から取得したリセット電圧のうちで最も低いリセット電圧を判別し、最も低いリセット電圧に相当する出力電圧を閾値電圧に決定する。図３を用いて説明したように、閾値電圧は、第二低圧電源２０３の立下り完了と判定するための完了電圧として利用される。
【００２６】
Ｓ５０４でＣＰＵ２０１（形成制御部５０１）は第二低圧電源２０３の立下げを開始する。たとえば、形成制御部５０１は電源制御部５０２に第二低圧電源２０３の立下げを指示する。電源制御部５０２は、立下げ指示を受信すると、第二低圧電源２０３の立下げを開始する。図３に示したように第二低圧電源２０３の出力電圧は徐々に低下する。
【００２７】
Ｓ６０５で、ＣＰＵ２０１（電源制御部５０２）は監視部５０４を介して検知した第二低圧電源２０３の出力電圧が閾値電圧以下になったかどうかを判定する。出力電圧が閾値電圧以下になると、各オプション装置のＣＰＵ２１１のリセットが完了したと判定し、ＣＰＵ２０１はＳ６０６に進む。このようにＳ６０５は各オプション装置のＣＰＵ２１１のリセットが完了したかどうかを判定するステップでもある。Ｓ６０６で、ＣＰＵ２０１（電源制御部５０２）は形成制御部５０１に第二低圧電源２０３の立下げが完了したことを通知する。
【００２８】
Ｓ６０７で、ＣＰＵ２０１（形成制御部５０１）は画像形成指示が入力されているかどうかを判定する。たとえば、形成制御部５０１は、遷移条件が満たされてから立下げが完了するまでの間に画像形成指示が入力されたかどうかを判定する。たとえば、図６に示すフローチャートと並列に画像形成指示の入力を監視する処理がＣＰＵ２０１により実行されてもよい。ＣＰＵ２０１は、Ｓ６００以降に画像形成指示が入力されるとフラグに１をセットする。Ｓ６００以降に画像形成指示が入力されなければ、フラグは０に維持される。Ｓ６０７でＣＰＵ２０１はフラグが１か０かを判定することで、遷移条件が満たされてから立下げが完了するまでの間に画像形成指示が入力されたかどうかを判定してもよい。画像形成指示が入力されていなければ、ＣＰＵ２０１（形成制御部５０１）は、画像形成装置１００を省電力モードへ遷移させる。一方で、画像形成指示が入力されていれば、ＣＰＵ２０１はＳ６０８に進む。Ｓ６０８でＣＰＵ２０１は省電力モードへの遷移を中止し、各オプション装置への電圧供給を再開し、画像形成を実行する。たとえば、形成制御部５０１は電源制御部５０２に各オプション装置への電圧供給の再開を指示する。電源制御部５０２は再開の指示を受信すると、第二低圧電源２０３を起動し、電圧の生成および出力を再開させる。
【００２９】
図７は第二低圧電源２０３の出力電圧の変化と立下げ完了タイミングを示した図である。図８は各オプション装置のリセット電圧に相当する完了電圧（閾値電圧）とリセットの必要性を示すテーブルである。図８に示すテーブルはＣＰＵ２０１が各オプション装置から取得した情報に基づき作成されている。
【００３０】
ここでは３つのケースが想定されている。第一のケースはすべてのオプション装置が接続されていないケースである。第二のケースは両面オプション１４０と給紙オプション１５０が画像形成装置１００に接続されているケースである。第三のケースは両面オプション１４０、給紙オプション１５０および排紙オプション１６０が画像形成装置１００に接続されているケースである。
【００３１】
第一のケースでは、画像形成装置１００にいずれのオプション装置も接続されていない。そのため、ＣＰＵ２０１は第二低圧電源２０３の出力電圧を低下させることによってＣＰＵ２１１にリセットをかける必要がない。ＣＰＵ２０１は、時刻ｔ１１に第二低圧電源２０３の立下げを開始した直後に立下げ完了と判定する。これにより、ＣＰＵ２０１はオプション装置の省電力モードへの遷移完了を待たずに、非常に早いタイミングで画像形成装置１００を省電力モードに遷移させることができる。なお、第一のケースの閾値電圧はＶｔｈ１であり、これは第二低圧電源２０３の定格電圧である。
【００３２】
第二のケースでは、ＣＰＵ２０１はリセットが必要なオプション装置は両面オプション１４０のみであると判定する。図８によれば、両面オプション１４０のリセット電圧に相当する完了電圧は１６．５Ｖである。したがって、ＣＰＵ２０１は第二のケースの閾値電圧Ｖｔｈ２を１６．５Ｖに決定する。時刻ｔ１１にＣＰＵ２０１に第二低圧電源２０３の立下げを開始する。時刻ｔ１２で第二低圧電源２０３の出力電圧が閾値電圧Ｖｔｈ２以下となり、ＣＰＵ２０１は立下げが完了したと判定する。立下げに要した遷移時間はＴ２である。このように第二のケースでは比較的に高い出力電圧で立下げが完了するため、画像形成装置１００は早いタイミングで省電力モードに遷移することができる。
【００３３】
第三のケースでは、リセットが必要なオプション装置が両面オプション１４０と排紙オプション１６０である。両面オプション１４０のリセット電圧に相当する完了電圧は１６．５Ｖである。排紙オプション１６０のリセット電圧に相当する完了電圧は４．５Ｖである。よって、最も低い完了電圧は４．５Ｖであり、これが第三のケースの閾値電圧Ｖｔｈ３に決定される。第一のケース、第二のケースと比較すると、第三のケースでは閾値電圧が低い。第三のケースでは時刻ｔ１１に立下げが開始され、時刻ｔ１３に立下げが完了する。オプション装置の省電力モードへの遷移時間はＴ３である。そのため、画像形成装置１００が省電力モードに遷移するタイミングも遅くなる。しかし、図３に示したオプション装置から完了電圧を取得しない場合に比べ、ＣＰＵ２０１は高い出力電圧で立下げ完了と判断できる。したがって、本実施例では、画像形成装置１００が早いタイミングで省電力モードに遷移することができる。図３に関連して説明したように、オプション装置からリセット電圧や完了電圧を取得しない場合、閾値電圧はマージンが考慮されて設定される。マージンは、画像形成装置１００が製品として工場から出荷された後にオプション装置が開発されることを想定して決定される。よって、閾値電圧は、オプション装置から取得された完了電圧（例：４．５Ｖ）よりも低い電圧（例：２Ｖ）に設定されるだろう。本実施例ではこのような大きなマージンは不要であるため、遷移時間を短縮することが可能となる（Ｔ０＞Ｔ３）。
【００３４】
本実施例では、電圧低下によるリセットの必要性があるオプション装置と、リセットの必要性がないオプション装置が混在したケースが取り上げられている。図８が示すように、給紙オプション１５０のリセットの必要性は「無し」であることが前提とされている。たとえば、給紙オプション１５０のＣＰＵ２１１に対してＣＰＵ２０１からリセットをかけるための信号線などが設けられていることが前提とされている。給紙オプション１５０のリセットの必要性が「有り」であってもよい。この場合、給紙オプション１５０のＣＰＵ２１１に対してリセットをかけるための信号線などが不要となるため、製造コストが削減されよう。
【００３５】
本実施例は、画像形成装置１００に対して各オプション装置が直接的に接続されていることが前提とされている。しかし、このような前提は不要である。たとえば、画像形成装置１００に直接的に接続されているオプション装置に対してさらに別のオプション装置がさらに接続されてもよい。画像形成装置１００に直接的に接続されているオプション装置のＣＰＵ２１１が他のオプション装置のＣＰＵ２１１と通信し、リセット電圧に相当する完了電圧やリセットの必要性に関する情報を収集して、画像形成装置１００に中継ないしは転送してもよい。
【００３６】
本実施例によれば、省電力モードへの遷移時間は、画像形成装置１００に実際に接続されているオプション装置に応じた遷移時間となるため、遷移時間が短縮される。よって、省電力モードへの遷移中に画像形成指示が入力されると、従来よりも早く省電力モードから画像形成モードに復帰可能となる。つまり、本実施例によればオプション装置の省電力化を達成しつつ、ユーザビリティが向上する。
【００３７】
＜他の実施例＞
上記の実施例では、ＣＰＵ２０１がオプション装置からリセット電圧（完了電圧）を示す情報などを取得し、取得した情報に基づき第二低圧電源２０３の立下り完了電圧（閾値電圧）を決定していた。ところで、画像形成装置１００は画像形成モードから省電力モードに遷移したり、電源オフに遷移したり、再起動を実行したりする。したがって、省電力モードへの遷移、電源オフへの遷移および再起動に依存してリセット電圧やリセットの必要性が異なるかもしれない。そこで、本実施例ではケースごとに第二低圧電源２０３の閾値電圧が決定される。
【００３８】
本実施例において上記の実施例と共通する部分の説明は基本的に省略される。以下では図９に示したフローチャートにしたがってＣＰＵ２０１の動作が説明される。図９では図６で説明したＳ６００がＳ９０１、Ｓ９１１、Ｓ９２１に置換されている。Ｓ６０１がＳ９０２、Ｓ９１２、Ｓ９２２に置換されている。Ｓ６０２がＳ９０３、Ｓ９１３、Ｓ９２３に置換されている。
【００３９】
Ｓ９０１でＣＰＵ２０１（形成制御部５０１）は省電力モードへ遷移するかどうかを判定する。たとえば、形成制御部５０１は省電力モードへの遷移条件が満たされているかどうかを判定する。なお、遷移条件は、たとえば、画像形成モードから省電力モードへの遷移指示が操作部２０４から入力されたこと、画像形成モードにおいて一定時間にわたり画像形成指示が入力されなかったことなどである。ＣＰＵ２０１は省電力モードへの遷移条件が満たされると、Ｓ９０２に進む。Ｓ９０２でＣＰＵ２０１（形成制御部５０１）は通信部５００を介して各オプション装置のリセット電圧（完了電圧）を取得する。たとえば、通信部５００は各オプション装置に対して省電力モードに関するリセット電圧の送信要求コマンドを送信する。Ｓ９０３で、ＣＰＵ２０１（形成制御部５０１）は通信部５００を介して各オプション装置からリセットの必要性を示す情報を取得する。たとえば、通信部５００は、省電力モードに関するリセットの必要性を示す情報を送信するよう要求するコマンドを各オプション装置に送信する。その後、上述したＳ６０３ないしＳ６０８が実行される。つまり、省電力モードに遷移する際に、電圧低下によるリセットが必要なオプション装置のリセット電圧のうちで最低のリセット電圧が閾値電圧に決定される。
【００４０】
Ｓ９０１で省電力モードの遷移条件が満たされていない場合、ＣＰＵ２０１はＳ９１１に進む。Ｓ９１１でＣＰＵ２０１（形成制御部５０１）は電源オフへ遷移するかどうかを判定する。たとえば、形成制御部５０１は電源オフへの遷移条件が満たされているかどうかを判定する。なお、電源オフへの遷移条件は、たとえば、画像形成モードから電源オフへの遷移指示が操作部２０４から入力されたことなどである。ＣＰＵ２０１は電源オフへの遷移条件が満たされると、Ｓ９１２に進む。Ｓ９１２でＣＰＵ２０１（形成制御部５０１）は通信部５００を介して各オプション装置のリセット電圧（完了電圧）を取得する。たとえば、通信部５００は各オプション装置に電源オフに関するリセット電圧の送信要求コマンドを送信する。形成制御部５０１は通信部５００を介して各オプション装置から電源オフに関するリセット電圧を示す情報を受信する。Ｓ９１３で、ＣＰＵ２０１（形成制御部５０１）は通信部５００を介して各オプション装置からリセットの必要性を示す情報を取得する。たとえば、通信部５００は、電源オフに遷移する際にオプション装置のリセットが必要かどうかを示す情報を送信するよう要求するコマンドを各オプション装置に送信する。形成制御部５０１は通信部５００を介して各オプション装置から電源オフに関するリセット電圧を示す情報を受信する。その後、上述したＳ６０３ないしＳ６０８が実行される。つまり、電源オフに遷移する際に、電圧低下によるリセットが必要なオプション装置のリセット電圧のうちで最低のリセット電圧が閾値電圧に決定される。
【００４１】
Ｓ９１１で電源オフの遷移条件が満たされていない場合、ＣＰＵ２０１はＳ９２１に進む。Ｓ９２１でＣＰＵ２０１（形成制御部５０１）は再起動を実行するかどうかを判定する。たとえば、形成制御部５０１は再起動の実行条件が満たされているかどうかを判定する。なお、再起動の実行条件は、たとえば、操作部２０４から画像形成モードから再起動の実行指示が入力されたことなどである。ＣＰＵ２０１は再起動の実行条件も満たされていなければ、Ｓ９０１に戻る。一方、ＣＰＵ２０１は再起動の実行条件が満たされると、Ｓ９２２に進む。Ｓ９２２でＣＰＵ２０１（形成制御部５０１）は通信部５００を介して各オプション装置のリセット電圧（完了電圧）を取得する。たとえば、通信部５００は各オプション装置に再起動に関するリセット電圧の送信要求コマンドを送信する。形成制御部５０１は通信部５００を介して各オプション装置から再起動に関するリセット電圧を示す情報を受信する。Ｓ９２３で、ＣＰＵ２０１（形成制御部５０１）は通信部５００を介して各オプション装置からリセットの必要性を示す情報を取得する。たとえば、通信部５００は、再起動の実行する際にオプション装置のリセットが必要かどうかを示す情報を送信するよう各オプション装置に要求するコマンドを各オプション装置に送信する。形成制御部５０１は通信部５００を介して各オプション装置から再起動に関するリセット電圧を示す情報を受信する。その後、上述したＳ６０３ないしＳ６０８が実行される。つまり、再起動を実行する際に、電圧低下によるリセットが必要なオプション装置のリセット電圧のうちで最低のリセット電圧が閾値電圧に決定される。
【００４２】
本実施例によれば、省電力モードへの遷移、電源オフへの遷移、再起動の実行などのイベントに応じてリセット電圧に相当する閾値電圧が決定される。よって、イベントごとに遷移時間が短縮される。これにより、イベントの遷移中に画像形成指示が入力されたときにもより短い待ち時間で画像形成装置１００は画像形成を実行できる。よって、ユーザビリティが改善しよう。
【００４３】
＜まとめ＞
図２などを用いて説明したように第二低圧電源２０３は画像形成装置１００に接続されている複数のオプション装置に電圧を供給する供給手段として機能する。監視部５０４は第二低圧電源２０３から複数のオプション装置に供給されている電圧を検知する検知手段として機能する。監視部５０４は、第二低圧電源２０３の出力電圧を分圧する分圧回路とアナログデジタルコンバータなどにより構成されてもよい。なお、アナログデジタルコンバータはＣＰＵ２０１に内蔵されていてもよい。分圧回路は第二低圧電源２０３に内蔵されていてもよい。Ｓ６０１に関して説明したように、形成制御部５０１や通信部５００は画像形成装置１００に接続されている複数のオプション装置のそれぞれのリセット電圧を示す情報を取得する取得手段として機能する。Ｓ６０３に関して説明したようにＣＰＵ２０１（形成制御部５０１）は取得された複数のオプション装置のそれぞれのリセット電圧のうちで最も低いリセット電圧に相当する閾値電圧を決定する決定手段として機能する。ＣＰＵ２０１（形成制御部５０１、電源制御部５０２）は省電力モードへの遷移条件が満たされると、第二低圧電源２０３による複数のオプション装置に対する電圧の供給を停止させる制御手段として機能する。Ｓ６０５、Ｓ６０７に関して説明したようにＣＰＵ２０１（電源制御部５０２）は省電力モードへの遷移中に画像形成指示が入力されると、監視部５０４により検知されている電圧が閾値電圧以下になるまで待つ。監視部５０４により検知されている電圧が閾値電圧以下になると、ＣＰＵ２０１（電源制御部５０２）は第二低圧電源２０３による電圧の供給を再開させる。このように本実施例によれば画像形成装置１００に対して実際に接続されているオプション装置のリセット電圧のうちで最低のリセット電圧が閾値電圧に決定される。よって、オプション装置をより短時間で省電力モードへ遷移させることが可能となる。これにより、省電力モードへの遷移中に画像形成指示が入力されると、ＣＰＵ２０１はより短時間で画像形成を実行できるようになる。よって、本実施例によれば、オプション装置の省電力化を達成しつつ、ユーザビリティが向上する。
【００４４】
Ｓ６０２に関して説明したように、ＣＰＵ２０１は画像形成装置１００に接続されている複数のオプション装置からリセットの必要の有無を示す情報を取得してもよい。ＣＰＵ２０１は複数のオプション装置のうちでリセットの必要なオプション装置から取得されたリセット電圧のうちで最も低いリセット電圧に基づき閾値電圧を決定してもよい。図８を用いて説明したように複数のオプション装置の中には電圧低下によるリセットが不要なオプション装置が存在することがある。よって、そのようなオプション装置のリセット電圧（例：２Ｖ）を除外して閾値電圧（例：４．５Ｖ）が決定されると、さらに遷移時間を短縮することが可能となる場合がある。
【００４５】
図５を用いて説明したように通信部５００は画像形成装置１００に接続されている複数のオプション装置と通信する通信手段として機能する。ＣＰＵ２０１は画像形成装置１００に接続されている複数のオプション装置のそれぞれから、通信部５００を介してリセット電圧を示す情報を取得してもよい。ＣＰＵ２０１（状態検出部５０３）は画像形成装置１００に接続されている複数のオプション装置を特定する特定手段として機能してもよい。状態検出部５０３は通信部５００を介して通信できたかどうかに応じて画像形成装置１００に接続されている複数のオプション装置を特定してもよい。状態検出部５０３は初期通信において画像形成装置１００に接続されているオプション装置からオプション装置の識別情報などを取得することでオプション装置を特定してもよい。初期通信とはＣＰＵ２０１が起動したときに各オプション装置と実行する通信である。オプション装置の取り付けと取り外しは、画像形成装置１００が電源オフの状態で実行される。ＣＰＵ２０１は、画像形成装置１００に接続されている複数のオプション装置間で中継されてきたリセット電圧を示す情報を取得してもよい。
【００４６】
なお、操作部２０４は、操作者による指示を入力する入力手段として機能する。ＣＰＵ２０１は、画像形成装置１００に接続されている複数のオプション装置のそれぞれのリセット電圧を示す情報を、操作部２０４を介して操作者から取得してもよい。これにより、リセット電圧を記憶する記憶手段をオプション装置から削減できるため、製造コストを削減することが可能となろう。
【００４７】
ＣＰＵ２０１は、第二低圧電源２０３による電圧の生成を停止させることで、第二低圧電源２０３による電圧の供給を停止させてもよい。なお、第二低圧電源２０３から各オプション装置までを結ぶ電源ライン１８０に電圧の供給を遮断するスイッチが設けられてもよい。この場合、ＣＰＵ２０１は第二低圧電源２０３の出力電圧に基づいて各オプション装置のＣＰＵ２１１にリセットがかかったことを推定できなくなる。よって、ＣＰＵ２０１はスイッチをオフにしてからの経過時間をタイマーにより計時してもよい。ＣＰＵ２０１は、経過時間と遷移時間Ｔ２，Ｔ３などとを比較することで各オプション装置のＣＰＵ２１１にリセットがかかったことを推定してもよい。しかし、推定精度の点では第二低圧電源２０３の出力電圧に基づいて各オプション装置のＣＰＵ２１１にリセットがかかったことを推定する手法が優れているだろう。
【００４８】
図６および図９を用いて説明したように、ＣＰＵ２０１は、画像形成装置１００を電源オフに遷移させる条件が満たされると、第二低圧電源２０３による複数のオプション装置に対する電圧の供給を停止させてもよい。ＣＰＵ２０１は、電源オフへの遷移中に画像形成指示が入力されると、監視部５０４により検知されている電圧が閾値電圧以下になるまで待つ。監視部５０４により検知されている電圧が閾値電圧以下になると、ＣＰＵ２０１は、第二低圧電源２０３による電圧の供給を再開させる。
【００４９】
Ｓ９１２に関して説明したように、ＣＰＵ２０１は、画像形成装置１００が電源オフに遷移するときにオプション装置に適用されるリセット電圧を画像形成装置１００に接続されている複数のオプション装置のそれぞれから取得する。ＣＰＵ２０１は、画像形成装置１００を電源オフに遷移させる条件が満たされると、複数のオプション装置のそれぞれから取得された複数のリセット電圧のうちで最も低いリセット電圧に基づき閾値電圧を決定する。これにより、電源オフに遷移する際の遷移時間を短縮することが可能となる。さらに、電源オフへの遷移中に画像形成指示が入力されてもより短時間で画像形成を実行可能となり、ユーザビリティが向上しよう。
【００５０】
Ｓ９２１、Ｓ９２２およびＳ６０４に関して説明したように、ＣＰＵ２０１は画像形成装置１００の再起動を実行する条件が満たされると、第二低圧電源２０３による複数のオプション装置に対する電圧の供給を停止させる。Ｓ６０７、Ｓ６０８に関して説明したように、再起動の実行中に画像形成指示が入力されると、ＣＰＵ２０１は再起動を中断する。さらに、ＣＰＵ２０１は監視部５０４により検知されている電圧が閾値電圧以下になるまで待つ。検知されている電圧が閾値電圧以下になると、ＣＰＵ２０１は第二低圧電源２０３による電圧の供給を再開させる。Ｓ９２２に関して説明したように、ＣＰＵ２０１は、再起動に関するリセット電圧を画像形成装置１００に接続されている複数のオプション装置のそれぞれから取得する。Ｓ９２１およびＳ６０３に関して説明したように、ＣＰＵ２０１は、再起動を実行する条件が満たされると、取得された再起動に関するリセット電圧のうちで最も低いリセット電圧に基づき閾値電圧を決定する。これにより、再起動に関する遷移時間も短縮される。再起動の実行中に画像形成指示が入力されてもより短時間で画像形成を実行可能となり、ユーザビリティが向上しよう。
【００５１】
複数のオプション装置のうちの少なくとも一つは、両面オプション１４０、給紙オプション１５０、排紙オプション１６０である。両面オプション１４０は画像形成装置１００により画像を形成されたシートの表裏を反転して再び画像形成装置１００に給紙する反転装置の一例である。給紙オプション１５０は画像形成装置１００にシートを給紙する給紙装置の一例である。排紙オプション１６０は画像形成装置１００により画像を形成されたシートを排紙する排紙装置の一例である。
【００５２】
なお、本実施例によれば、画像形成装置１００に接続されるオプション装置が提供される。ＣＰＵ２１１はオプション装置を制御する制御手段の一例である。ＣＰＵ２１１は画像形成装置１００から供給される電圧が所定のリセット電圧以下になるとリセットを実行する。記憶装置２１３はリセット電圧を記憶する記憶手段の一例である。ＣＰＵ２１１および通信部５１１、５２１、５３１は画像形成装置１００からリセット電圧の送信を要求されると、記憶装置２１３に記憶されているリセット電圧を送信する送信手段として機能する。
【００５３】
図９を用いて説明したように、ＣＰＵ２０１は、省電力モードへの遷移、電源オフへの遷移および再起動のうち少なくとも一つを含む複数のイベントのうちいずれかのイベントの実行条件が満たされたかどうかを判定する。Ｓ６０４に関して説明したように、ＣＰＵ２０１は、実行条件が満たされると、第二低圧電源２０３による複数のオプション装置に対する電圧の供給を停止させる。Ｓ６０７に関して説明したように、ＣＰＵ２０１はイベントの実行中に画像形成指示が入力されるたかどうかを判定する。イベントの実行中に画像形成指示が入力されると、ＣＰＵ２０１は、監視部５０４により検知されている電圧が閾値電圧以下になるまで待ってから、第二低圧電源２０３による電圧の供給を再開させる。なお、リセット電圧はイベントごとに異なる電圧であってもよい。これによりイベントに応じて遷移時間を短縮することが可能となり、ユーザビリティが向上する。
【００５４】
上述の実施例では第二低圧電源２０３は、複数のオプション装置を接続可能な画像形成装置１００に実際に接続されているオプション装置に電圧を供給する供給手段として機能している。また、ＣＰＵ２０１は画像形成装置１００に実際に接続されているオプション装置にリセットがかかるリセット条件（例：リセット電圧）を取得する取得手段として機能する。また、ＣＰＵ２０１は省電力モードへの遷移、電源オフへの遷移および再起動のうち少なくとも一つを含む複数のイベントのうちいずれかのイベントの実行条件が満たされると、第二低圧電源２０３を停止させる制御手段として機能する。とりわけ、ＣＰＵ２０１はイベントの実行中に画像形成指示が入力されると、取得されたすべてのリセット条件が満たされるまで第二低圧電源２０３を停止させてから、第二低圧電源２０３を起動している。上述した実施例では複数のオプション装置から取得されたすべてのリセット電圧のうちで最低のリセット電圧が閾値電圧に決定されていた。そして、第二低圧電源２０３が閾値電圧以下に低下したかどうかが判定されていた。つまり、出力電圧が閾値電圧（最低のリセット電圧）以下になった状態は、取得されたすべてのリセット電圧以下に出力電圧がなった状態でもある。よって、上述した実施例は、電圧低下によるリセットが必要なすべてのオプション装置から取得したリセット電圧以下となるように出力電圧を低下させるものである。また、ＣＰＵ２０１は、取得されたすべてリセット条件が満たされたかどうかを判定しているが、これは電圧低下によるリセットが必要なすべてのオプション装置にリセットがかかったかどうかを判定していることに相当する。
【符号の説明】
【００５５】
１００・・・画像形成装置、１４０…両面オプション、１５０…給紙オプション、１６０…排紙オプション、２０３…第二低圧電源、２０１・・・ＣＰＵ
【図１】
2017173746.tif 000003
【図２】
2017173746.tif 000004
【図３】
2017173746.tif 000005
【図４】
2017173746.tif 000006
【図５】
2017173746.tif 000007
【図６】
2017173746.tif 000008
【図７】
2017173746.tif 000009
【図８】
2017173746.tif 000010
【図９】
2017173746.tif 000011